(57)【要約】      （修正有）【課題】机やカウンター等の平台での上に軽くのせるだけで杖の転倒を防止できる杖ホルダーを提供する。【解決手段】杖ホルダー本体１に杖ホルダーカバー部２を設け、杖ホルダーカバー部の裏に杖ホルダー半球体部４を設ける。杖ホルダー本体の杖ホルダーフック部３を杖の柄に装着し、机やカウンター等の平台の上に軽くのせるだけで、杖ホルダーの転倒を防止できる。【選択図】図５
0003210069.tif 000002
【実用新案登録請求の範囲】
【請求項１】
机やカウンター等の平台にのせるだけで、置場のなかった杖の転倒を防止する、杖に直接装着する杖ホルダー。
【考案の詳細な説明】
【技術分野】
【０００１】  本考案は杖に直接装着し、机やカウンター等の平台の上に軽くのせるだけで杖の転倒を防止する杖ホルダーに関するものである。
【背景技術】
【０００２】  従来、杖を利用されている方は病院や銀行等のカウンターにおいて杖を置く場所がなかった。受付の間、手に持っていても邪魔になり、壁に立て掛けていても、すぐに転倒してしまい、腰を屈めて拾わなければならなかった。
最近になってカウンター等に杖ホルダーを設置している店舗が増えてきている。また、杖に直接装着するタイプでは机やカウンター等の平台にのせるスペースが広すぎたり、平台にのせるまでに二動作以上かかる為、荷物を持って行うには大変であった。本考案はその２点を解消するものである。
【考案の概要】
【考案が解決しようとする課題】
【０００３】  従来品は、杖ホルダーを平台にのせるスペースが広すぎた。また、杖ホルダーを平台にのせるのに二動作以上かかる為、荷物を持って行うには大変であった。
本考案では、杖ホルダー自体の材質をゴム系のプラスチック樹脂にし、平台にのせる部分を２点にすることによって樹脂の摩擦で、杖ホルダーを平台に軽くのせるだけの一動作で最小限のスペースで留まる。
【課題を解決するための手段】
【０００４】  杖ホルダーフック部（３）を杖の柄に装着。杖ホルダーカバー部（２）裏の杖ホルダー球体部（４）を机やカウンター等の平台にのせる。杖ホルダーカバー部（２）に使用している材質、ゴム系のプラスチック樹脂の摩擦と杖ホルダー球体部（４）２点で杖の転倒を防止する杖ホルダー
【考案の効果】
【０００５】  本考案は今まで、二動作以上かかっていた作業が机やカウンター等に杖ホルダーの球体部（４）を軽くのせるだけで杖の転倒を防止できる。平台にふれる部分を一点ではなく、二点にし、ゴム系のプラスチック樹脂を使用している効果によるものである。
【考案を実施するための形態】
【０００６】  杖ホルダーフック部（３）を杖の柄に装着する。机やカウンター等の平台の上に軽くのせる。
【実施例】
【０００７】  以下、本考案の実施例について説明する。
杖ホルダーの材質として、杖ホルダー本体（１）はナイロン樹脂、杖ホルダーカバー部（２）はエラストマー樹脂を使用する。エラストマー樹脂はゴム系のプラスチック樹脂である。杖ホルダー本体（１）を杖ホルダーカバー部（２）の金型にインサートして成形し、一体物とする。杖ホルダー本体（１）は固い樹脂で杖ホルダーの芯を作り、杖ホルダーカバー部（２）は柔らかい樹脂で、摩擦で杖の転倒を防止する。
杖ホルダー本体（１）の杖ホルダーフック部（３）を杖の柄に装着。これを使用する時は杖ホルダーカバー部（２）裏の杖ホルダー球体部（４）を机やカウンター等の平台の上に軽くのせるだけで、杖ホルダーの転倒を防止する。
【図面の簡単な説明】
【０００８】
【図１】杖ホルダー本体の平面図である。
【図２】杖ホルダー本体の右側面図である。
【図３】杖ホルダーカバー部の平面図である。
【図４】杖ホルダーカバー部の右側面図である。
【図５】本考案の請求項１の平面図である。
【図６】本考案の請求項１の右側面である。
【図７】本考案の実施例である。
【符号の説明】
【０００９】１．杖ホルダー本体
２．杖ホルダーカバー部
３．杖ホルダーフック部
４．杖ホルダー球体部
【図１】
0003210069.tif 000003
【図２】
0003210069.tif 000004
【図３】
0003210069.tif 000005
【図４】
0003210069.tif 000006
【図５】
0003210069.tif 000007
【図６】
0003210069.tif 000008
【図７】
0003210069.tif 000009
【手続補正書】
【提出日】平成29年2月1日(2017.2.1)
【手続補正１】
【補正対象書類名】実用新案登録請求の範囲
【補正対象項目名】全文
【補正方法】変更
【補正の内容】
【実用新案登録請求の範囲】
【請求項１】
杖に直接装着し、スペースを取らず、机やカウンター等の平台にのせるだけの一動作で置き場のなかった杖の転倒を防止することが出来る杖ホルダーカバー部（２）裏側にあらゆる角度でバランスを保持し、装着した杖と３点になるよう、杖ホルダー半球体部（４）２個を設けた杖ホルダー。
【手続補正２】
【補正対象書類名】明細書
【補正対象項目名】全文
【補正方法】変更
【補正の内容】
【考案の詳細な説明】
【技術分野】
【０００１】本考案は杖に直接装着し、スペースを取らず、机やカウンター等の平台にのせるだけの一動作で置き場のなかった杖の転倒を防止することが出来る杖ホルダーカバー部（２）裏側にあらゆる角度でバランスを保持し、装着した杖と３点になるよう、杖ホルダー半球体部（４）２個を設けた杖ホルダーに関するものである。
【背景技術】
【０００２】従来、杖を利用されている方は病院や銀行等のカウンターにおいて杖を置く場所がなかった。受付の間、手に持っていても邪魔になり、壁に立て掛けていても、すぐに転倒してしまい、腰を屈めて拾わなければならなかった。最近になってカウンター等に杖ホルダーを設置している店舗が増えてきている。また、杖に直接装着するタイプでは机やカウンター等の平台にのせるスペースが広すぎたり、平台にのせるまでに二動作以上かかる為、荷物を持って行うには大変であった。
【考案の概要】
【考案が解決しようとする課題】
【０００３】従来品は、杖ホルダーを平台にのせるスペースが広すぎた。また、杖ホルダーを平台にのせるのに二動作以上かかる為、荷物を持って行うには大変であった。本考案はこの欠点を除き、杖ホルダーを平台にのせるスペースを最小限にし、平台等にのせるまでに二動作以上かかっていた動作をのせるだけの一動作に改善する事を目的に考案されたものである。
【課題を解決するための手段】
【０００４】杖に直接装着し、スペースを取らず、机やカウンター等の平台にのせるだけの一動作で置き場のなかった杖の転倒を防止することが出来る杖ホルダーカバー部（２）裏側にあらゆる角度でバランスを保持し、装着した杖と３点になるよう、杖ホルダー半球体部（４）２個を設けた杖ホルダー。
【考案の効果】
【０００５】杖ホルダーカバー部（２）裏側に設けた杖ホルダー半球体部（４）２個を平台にのせるだけなので、スペースを最小限にし、軽くのせるだけの一動作で使用することが出来る。
【考案を実施するための形態】
【０００６】杖ホルダーフック部（３）を杖の柄に装着する。机やカウンター等の平台の上に杖ホルダーカバー部（２）裏側に設けた杖ホルダー半球体部（４）２個を軽くのせる。
【実施例】
【０００７】以下、本考案の実施例について説明する。
杖ホルダーの素材として、杖ホルダー本体（１），杖ホルダーフック部（３）はナイロン樹脂、杖ホルダーカバー部（２），杖ホルダー半球体部（４）はエラストマー樹脂を使用する。エラストマー樹脂はゴム系のプラスチック樹脂である。杖ホルダー本体（１）を杖ホルダーカバー部（２）の金型にインサートして成形し、一体物とする。杖ホルダー本体（１）は固い樹脂で杖ホルダーの芯を作り、杖ホルダーカバー部（２）は柔らかい樹脂で、摩擦で杖の転倒を防止する。杖ホルダー本体（１）と杖ホルダーフック部（３）は一体物である。杖ホルダーカバー部（２）と杖ホルダー半球体部（４）は一体物である。杖ホルダーカバー部（２）の裏側に杖ホルダー半球体部（４）を設けている。本考案は以上のような構造で、これを使用する時は杖ホルダー本体（１）の杖ホルダーフック部（３）を杖の柄に装着。杖ホルダーカバー部（２）裏側に設けた杖ホルダー半球体部（４）２個を机やカウンター等の平台の上に軽くのせる。すると、杖ホルダーカバー部（２）裏側に設けた杖ホルダー半球体部（４）２個を支点にして杖と３点となり、あらゆる角度でバランスを保持し、杖の転倒を防止することが出来る。
【図面の簡単な説明】
【０００８】
【図１】杖ホルダー本体の平面図である。
【図２】杖ホルダー本体の右側面図である。
【図３】杖ホルダーカバー部の平面図である。
【図４】杖ホルダーカバー部の右側面図である。
【図５】本考案の請求項１の平面図である。
【図６】本考案の請求項１の右側面である。
【図７】本考案の実施例である。
【符号の説明】
【０００９】１．杖ホルダー  本体
２．杖ホルダー  カバー部
３．杖ホルダー  フック部
４．杖ホルダー  半球体部
【手続補正３】
【補正対象書類名】図面
【補正対象項目名】全図
【補正方法】変更
【補正の内容】
【図１】
0003210069.tif 000010
【図２】
0003210069.tif 000011
【図３】
0003210069.tif 000012
【図４】
0003210069.tif 000013
【図５】
0003210069.tif 000014
【図６】
0003210069.tif 000015
【図７】
0003210069.tif 000016